(57)【要約】      （修正有）【課題】無機質繊維をライニングした加熱炉において、断熱性、耐久性に優れた補修部が得られる加熱炉ライニングの補修方法および加熱炉ライニングの切断除去装置を提供する。【解決手段】炉壁及び／又は炉天井の一部又は全部に設けた無機質繊維ブロックからなる加熱炉のライニング９の劣化箇所に、無機質繊維含む吹き付材を吹き付けて補修する方法において、吹き付け補修するに先立ち、少なくとも前記劣化箇所を切断除去するものであり、加熱炉ライニングの切断除去装置は、棒状部材及び／又は筒状部材からなる支持体１１と、この支持体の先端部に取り付けられた回転切断装置１６と、支持体に取り付けられた操作ハンドル１８と、支持体の後端部に設けられたカウンターウエイト１７と、支持体を作業者の身体側で支持するハーネス１９と、支持体とハーネスとを連結する平行リンク機構２０とを有する。【選択図】      図２
2005061650.tif 000002
【特許請求の範囲】
【請求項１】
棒状部材及び／又は筒状部材からなる支持体と、前記支持体の先端部に取り付けられた回転切断装置と、前記支持体に取り付けられた操作ハンドルと、前記支持体の後端部に設けられたカウンターウエイトと、前記支持体を作業者の身体側で支持するハーネスと、前記支持体と前記ハーネスとを連結する平行リンク機構とを有することを特徴とする加熱炉ライニングの切断除去装置。
【請求項２】
回転切断装置は、円周及び／又は一方の平面に突出する刃を有する円盤状回転刃を有することを特徴とする請求項１に記載の加熱炉ライニングの切断除去装置。
【請求項３】
回転切断装置は、その回転軸が支持体の軸に対して角度可変に前記支持体の先端部に取り付けられていることを特徴とする請求項１又は２に記載の加熱炉ライニングの切断除去装置。
【請求項４】
支持体は、軸方向に伸縮可能に構成されていることを特徴とする請求項１〜３のいずれか１項に記載の加熱炉ライニングの切断除去装置。
【請求項５】
支持体は、平行リンク機構に対して、水平方向に回動可能に連結されていることを特徴とする請求項１〜４のいずれか１項に記載の加熱炉ライニングの切断除去装置。
【請求項６】
支持体は、平行リンク機構に対して水平方向を軸として鉛直方向に回動可能に取付けられていること特徴とする請求項１〜５のいずれか１項に記載の加熱炉ライニングの切断除去装置。
【請求項７】
平行リンク機構に、重力による支持体の降下を補償するためのバネ機構が備えられていることを特徴とする請求項１〜６のいずれか１項に記載の加熱炉ライニングの切断除去装置。
【請求項８】
回転切断装置に、集塵装置が設けられていることを特徴とする請求項１〜７のいずれか１項に記載の加熱炉ライニングの切断除去装置。
【請求項９】
炉壁、炉天井の一部又は全部に設けた無機質繊維ブロックからなる加熱炉ライニングの劣化箇所に、少なくとも無機質繊維含む吹き付材を吹き付けて補修する方法において、吹き付け補修するに先立ち、少なくとも前記劣化箇所を請求項１〜８のいずれか１項に記載の加熱炉ライニングの切断除去装置により切断除去することを特徴とする加熱炉ライニングの補修方法。
【発明の詳細な説明】
【０００１】
【発明の属する技術分野】
本発明は、加熱炉内の炉壁、炉天井などを無機質繊維材によりライニングした加熱炉において、ライニングの劣化した箇所を切断除去する装置及び該装置を用いてライニングを除去した後補修する加熱炉ライニングの補修方法に関する。
【０００２】
【従来の技術】
鉄鋼業、ガラス工業などにおいては、鋼片の加熱炉、鋼材、ガラス等の熱処理炉など各種の加熱炉が使用されている。これらの加熱炉においては、熱効率や加熱温度制御の向上のため、その炉内の断熱用耐火物のライニングとして、アルミナ−シリカ、ムライト、アルミナ−シリカ−ジルコニア、アルミナ−シリカ−クロミアなどの無機質繊維材のライニングが多く用いられるようになっている。例えば、無機質繊維のブランケットを積層して形成したブロックや、無機繊維のバルクを静加圧下で加熱処理した成形したブロックなどの無機質繊維ブロックを固定部材で炉壁に固定してライニングとしている（例えば、特許文献１、特許文献２参照）。また、施工の容易さや施工期間の点から、無機質繊維を特殊な結合材と共に今後してこれを炉壁に直接吹き付け施工する方法も提案されている（例えば、特許文献３、特許文献４参照）。
【０００３】
しかしながら、無機質繊維で炉壁や天井をライニング施工した場合、炉内の被加熱物から発生する粉塵やスケールなどにより無機質繊維の結晶化や結晶の成長が進行し無機質繊維のライニングの強度が劣化したり、粉塵やスケールとの反応により無機質繊維が融着して断熱性が低下するなど、ライニング材としての性能の劣化は避けられない。
【０００４】
また、加熱炉内に発生するガスの流れにより、炉壁のライニングが摩耗したり、その一部が剥離するといった損傷を受けることも避けられず、その都度、補修することが必要となっている。この補修方法に関して、損傷した箇所の無機繊維質断熱材に防塵材を吹き付けた後、無機繊維質接着剤を吹き付け、さらに補修剤として無機繊維質湿式吹付材を吹き付ける方法や、無機質繊維ブロックライニングの損傷した凹部に無機質繊維を含む不定形耐火物を塗布して平坦にした後、この表面に無機質繊維とバインダーを混合した補修剤を吹き付ける方法などの補修方法が提案されている（例えば、特許文献５、特許文献６参照）。
【０００５】
【特許文献１】
特開昭５３−１８６０９号公報
【特許文献２】
特開昭６２−２８８１５１号公報
【特許文献３】
特開昭５３−１２８６２８号公報
【特許文献４】
特開平０５−１１７０４７号公報
【特許文献５】
特開平０９−３１８２７７号公報
【特許文献６】
特開２００１−３０４７６８号公報
【０００６】
【発明が解決しようとする課題】
無機質繊維をライニングした加熱炉内の炉壁及び炉天井の補修方法として、特許文献５，６に記載の方法は一応適用できるものの、補修した箇所の耐久性についてはさらに改善の余地がある。すなわち、補修を要する箇所のライニング材は、劣化が進んでおり、特許文献５，６のように材質の劣化した箇所に直接、防塵材を吹き付けた後、無機繊維質接着剤を吹付け、さらに補修剤としての無機繊維質湿式吹付材を吹き付けたり、あるいは、無機質繊維とバインダーを混合した補修剤を直接吹き付けても、これらの補修剤はライニングを構成する無機質繊維ブロックの健全な部分との接触が不十分なため接着力が低下したり、あるいは補修箇所が劣化した部分をそのまま含むこととなり、ライニング特性の優れた補修部を形成することは困難である。なお、特許文献５には、補修箇所の数カ所に凸状ジグを押し充てて凹部を形成することにより、既設と新設の無機繊維質断熱材の接触面積を多くし、また、劣化の少ない既設の無機繊維質断熱材と新設の無機繊維質断熱材とを接触させ、接着力を向上させることが開示されているが、限られた範囲でしか接着力の向上を図ることが出来ない上に、劣化した部分は依然としてそのまま補修部に取り込まれるので、断熱性、耐久性に優れたライニング補修部とすることはできない。
【０００７】
また、補修作業の殆どが、加熱炉内という作業性の悪い、狭い空間において、特にライニングの劣化箇所の切断除去は、人手により行なわれており、作業環境および作業効率の点からも改善が求められている。
【０００８】
従って、本発明は、無機質繊維をライニングした加熱炉において、補修剤を吹付ける前に劣化箇所を切断除去し断熱性、耐久性に優れた補修部が得られる無機質繊維ライニングの補修方法および前記劣化箇所を人手により切断除去する際、作業者の負担を軽減して作業効果、作業精度を高め、作業環境を改善し得る装置を提供することを課題とする。
【０００９】
なお、本発明の加熱炉は、熱処理炉、均熱炉など吹き付けライニングを有する加熱用工業炉を含むものとする。
【００１０】
【課題を解決するための手段】
（１）棒状部材及び／又は筒状部材からなる支持体と、前記支持体の先端部に取り付けられた回転切断装置と、前記支持体に取り付けられた操作ハンドルと、前記支持体の後端部に設けられたカウンターウエイトと、前記支持体を作業者の身体側で支持するハーネスと、前記支持体と前記ハーネスとを連結する平行リンク機構とを有する加熱炉ライニングの切断除去装置。
（２）回転切断装置は、円周及び／又は一方の平面に突出する刃を有する円盤状回転刃を有することを特徴とする（１）に記載の加熱炉ライニングの切断除去装置。
（３）回転切断装置は、その回転軸が支持体の軸に対して角度可変に前記支持体の先端部に取り付けられていることを特徴とする（１）又は（２）に記載の加熱炉ライニングの切断除去装置。
（４）支持体は、軸方向に伸縮可能に構成されていることを特徴とする（１）〜（３）のいずれか１項に記載の加熱炉ライニングの切断除去装置。
（５）支持体は、平行リンク機構に対して水平方向に回動可能に連結されていることを特徴とする（１）〜（４）のいずれか１項に記載の加熱炉ライニングの切断除去装置。
（６）支持体は、平行リンク機構に対して水平方向を軸として鉛直方向に回動可能に取付けられていること特徴とする（１）〜（５）のいずれか１項に記載の加熱炉ライニングの切断除去装置。
（７）平行リンク機構に、重力による支持体の降下を補償するためのバネ機構が備えられていることを特徴とする（１）〜（６）のいずれか１項に記載の加熱炉ライニングの切断除去装置。
（８）回転切断装置に、集塵装置が設けられていることを特徴とする（１）〜（７）のいずれか１項に記載の加熱炉ライニングの切断除去装置。
（９）炉壁、炉天井の一部又は全部に設けた無機質繊維ブロックからなる加熱炉ライニングの劣化箇所に、少なくとも無機質繊維含む吹き付材を吹き付けて補修する方法において、吹き付け補修するに先立ち、少なくとも前記劣化箇所を（１）〜（８）のいずれか１項に記載の加熱炉ライニングの切断除去装置により切断除去することを特徴とする加熱炉ライニングの補修方法。
【００１１】
【発明の実施の形態】
図１は、炉壁及び／又は炉天井の一部、炉壁及び／又は炉天井の全部を無機質繊維ブロックにてライニングした加熱炉ライニング及び補修の状況を示す断面模式図であり、図１（ａ）は補修前の、図１（ｂ）は劣化箇所を含む周辺のライニングを切断除去した後の、図１（ｃ）は補修後の状況をそれぞれ示している。
【００１２】
図１（ａ）において、加熱炉の炉壁１は、炉殻２の上に設けられた耐火材料によるバックライニング３の上に、例えばブランケット状の無機質繊維を折り畳んで形成した無機質繊維ブロック４が固定用部材５により固定され、無機質繊維を含む吹き付け材８が吹き付けられている。無機質繊維としては、アルミナ−シリカ、ムライト、アルミナ−シリカ−ジルコニア、アルミナ−シリカ−クロミアなどが使用される。また、無機質繊維を含む吹き付け材８としては、上記の無機質繊維にバインダーとして珪酸塩、燐酸塩などを加え、水若しくは有機溶剤でスラリー状にした粘土又はセメントを混合したものが使用されている。図１（ａ）に示すように、加熱炉炉壁には、ライニングが損傷または劣化した劣化箇所６が生じている。
【００１３】
本発明の補修方法においては、まず、図１（ｂ）に示すように損傷部を含む特性の劣化した吹き付け材及び無機質繊維ブロックの一部である劣化箇所６のライニングを、必要により、その周辺部のライニングを含めて、切断除去する（切断除去箇所７とする）。切断除去する方法は、スクレーパーや、カッターなど公知の手段を用いて行なっても良いが、後述する本発明の切断除去装置を使用することが好ましい。次に図１（ｃ）に示すように、この劣化箇所６を含む周辺のライニングを切断除去した切断除去箇所７に無機質繊維を含む吹き付け材８を吹き付ける。この吹き付けに関しては、公知の方法を採用できる。
【００１４】
本発明の補修方法においては、上記のように、劣化したライニング材を除去するので、補修した箇所に劣化したライニング材料が取り込まれることがなく、従って、断熱性、耐久性に優れたライニング補修部とすることができる。
【００１５】
次に、本発明のライニングの切断除去装置について説明する。
【００１６】
図２は、本発明のライニングの切断除去装置の一実施例である装置の模式図であり、この切断除去装置を用いて加熱炉の天井壁のライニングを切断除去する。すなわち、上述のように劣化箇所を含む補修箇所のライニング９（無機質繊維ブロックと無機質繊維を含む吹き付け材などからなるものを総称する）を除去する状況を示した概略図である。
【００１７】
本発明のライニングの切断除去装置を、一実施例である図２を参照しつつ、説明する。
【００１８】
本発明のライニングの切断除去装置１０は、棒状部材及び／又は筒状部材からなる支持体１１と、この支持体１１の先端部に取り付けられた回転駆動手段１２を備えた回転切断装置１６と、支持体１１に取り付けられた操作ハンドル１８−１，１８−２（以下、ハンドル１８とも記載する）と、支持体１１の後端部に設けられたカウンターウエイト１７と、支持体１１を身体に装着して支持するハーネス１９と、支持体１１とハーネス１９とを連結する平行リンク機構２０とを有している。
【００１９】
回転切断装置１６は、回転刃１５の回転駆動手段１２として例えばモーターと、その回転軸（図示せず）に着脱可能に取り付けられた回転刃１５とから構成される。なお、回転切断装置１６の回転刃１５の下面側（作業面の反対側）にはカバー１４が設けられている。回転切断装置１６は、支持体１１の一端において取付部材１３により固定されている。
【００２０】
支持体１１の後端部には、カウンターウエイト１７が着脱可能に取り付けられており、支持体１１の軸方向中間部の支持部２２、すなわち、後述の本体支持部材２１と支持体１１との取り付け部近傍、を支点として、回転切断装置１２の重量Ｗｕと、カウンターウエイトの重量Ｗｌとがほぼ同等にバランスするように調整して取り付けられている。
【００２１】
一方、ライニングの切断除去装置１０には、回転切断装置１６およびカウンターウエイト１７などを含む支持体１１、および平行リンク機構２０などを作業者Ｍ側で支持するためのハーネス１９が備えられている。
【００２２】
また、支持体１１の中間部には、ライニングの切断除去装置の作業位置を調整する操作のための操作ハンドル１８−１，１８−２、および回転切断装置１６の回転駆動を制御するための操作スイッチ（図示しない）が取り付けられている。なお、回転駆動手段１２（モーター）の駆動は、作業者Ｍが携帯するバッテリー４０から、ケーブル４１を介して電力を供給して行なう。この電力供給は、炉外から引き込む電源ケーブル、炉内に搬入する電源装置によることもできる。
【００２３】
また、図２に示すように、作業者の上半身の前面に衝立するようにシールド２８を設けることが好ましい。この例では、シールド２８は、本体支持部材２１に取り付けられており、ポリカーボネートのような透明の有機樹脂により軽量に構成されている。これにより、切断されたライニング材が作業者に直接当たったり、ライニング材の粉塵によって視界が遮られるのを回避することができる。
【００２４】
図３は、ハーネスの概略を示す斜視図である。このハーネス１９は、作業者の腹部近辺から股間部下方近辺に至る何れかの領域に配置させて作業者の身体に装着可能なハーネスの固定部３０と、作業者の腰部に回され、このハーネスの固定部を作業者の腹部近辺に固定させるための腰ベルト３１と、作業者の肩に掛けることによってハーネスの固定部を吊持するための肩ベルト３４ａ，３４ｂを有する。
【００２５】
さらに、腰ベルトの前面部分から伸びる吊りベルト３２と前面に係止片３３を有しており、吊ベルト３２は、下端３２ａが腰ベルト３１の前面に、上端３２ｂが係止片３３の下部３３ａに固定されている。係止片３３の上部３３ｂには、肩ベルト３４ａ，３４ｂの一端が取り付けられており、側部３３ｃ、３３ｄには、肩ベルト３４ａ、３４ｂの他端に設けられた係止具３６ａ、３６ｂを係止するための係止具３５ａ、３５ｂが取り付けられている。そして、ハーネスの固定部３０には、図２に示した支持体１１とハーネス１９とを連結する平行リンク機構２０の一方の垂直部材２３ｂに連結された支持部材２７が挿入されて固定される。なお、ハーネスの腰ベルト３１には、回転切断装置の駆動源としてバッテリー４０を携帯するための保持部３７、及び腰ベルトの装着のための調整金具３８が設けられている。
【００２６】
図４は、図２における本発明の加熱炉ライニングの切断除去装置の平行リンク機構２０を説明する部分概要図である。図４に示すように、平行リンク機構は、垂直部材２３ａ，２３ｂと水平部材２４ａ，２４ｂとが、４つの水平軸部材２５により回動可能に連結されている。
【００２７】
平行リンク機構２０の一方の垂直部材２３ａは、連結部材２６ａを介して、本体支持部材２１に連結されており、本体支持部材２１は、支持体中間部の支持部２２において支持体１１を支持している。また、平行リンク機構２０の他方の垂直部材２３ｂは、連結部材２６ｂを介して支持部材２７に連結されている。そして、この支持部材２７は、ハーネス１９の固定部３０に挿入されて、固定支持されている。
【００２８】
本発明の加熱炉ライニングの切断除去装置は、作業者の身体に装着されたハーネスによって支持されることから、その構成部材は、強度が確保できる限り、軽量となるように形状、及び材質を選択することが好ましい。例えば、支持体やリンク部材を中空部材で構成すると共に、軽金属、炭素繊維やガラス繊維などの軽量材料を使用することが好ましい。
【００２９】
本発明のライニングの切断除去装置を装着した作業者は、操作スイッチを押して電源を入れ、回転切断装置の回転刃を回転させ、ハンドル前後に操作して劣化箇所を含む補修箇所のライニングを切断除去する。このとき、支持体は平行リンク機構によって作業者に連結、支持されているので、操作ハンドルが前後方向に移動しても、補修面に対する回転軸の位置関係、すなわち姿勢は変化せず、常に垂直方向に保たれ、かつ高さを変更することができる。従って、効率的に除去作業を行なうことが可能である。
【００３０】
図５は、回転切断装置１６の円盤状回転刃１５の形状を示す概要図である。図５（ａ）は円盤４２の外周に沿って鋸状切断刃４３を有し、図５（ｂ）は、円盤４０の作業面、すなわち、補修面と対向する側の面、に突出する切断刃４４を有する円盤状回転刃（カップ型工具）である。このように、円盤の外周又は作業面側に切断刃を有する円盤状回転刃を用いても良いが、図５（ｃ）に示すように、円盤４２の外周に鋸状切断刃４３及び作業面に突出する切断刃４４を有するものとすることが好ましい。図５（ｃ）の円盤状回転刃によって、ライニングの劣化箇所を或る厚さで切り込んだ後、そのままの姿勢で、前後あるいは左右に切断を行なうことができる。
【００３１】
また、回転切断装置１６は、その回転軸（図示せず）が支持体１１の軸に対して角度可変に支持体１１の先端部に取り付けることが好ましい。すなわち、図２に示すように、回転切断装置１６を支持体１１先端部の取付部１３に、例えば、ねじ２９などにより回動可能に取り付けるか、あるいは球面の継ぎ手などを介して支持体１１の軸の周りに旋回自在に取り付けることが可能である。
【００３２】
これによって、回転切断装置の回転軸は、支持体の軸に対して角度を変えることができることとなり、補修箇所の面に対して回転軸が垂直になるよう設定することが容易になる。
【００３３】
すなわち、支持体の先端部に設けた回転切断装置を加熱炉の炉壁面又は炉天井面に向けた際に、その回転軸が補修箇所にほぼ垂直になるように、予め、支持体先端部の取付部における回転切断装置の支持体に対する取り付け角度を調整することができ、例えば、加熱炉内の炉側壁と炉天井のライニングの切断除去処理を行なうに際に、支持体の軸の向きを大きく変えずに回転切断装置の回転軸の方向を処理面に直角になるように変更することが可能となる。
【００３４】
また、支持体は、軸方向に伸縮可能に構成されていることが好ましい。
【００３５】
図６は、支持体の軸方向長さを変更可能にする構成例を示す部分概略図である。例えば、図６（ａ）は、支持体１１を２本の棒状部材１１Ａ，１１Ｂにより構成し、軸方向長さを可変にする例を示した概要斜視図である。図６（ａ）に示すように、支持体として棒状部材１１Ａと棒状部材１１Ｂをほぼ平行に配置し、２つの筒状部４５ａ、４５ｂを設けた２つの筒状部材４６−１、４６−２の筒状部に、１１Ａ，１１Ｂ両部材を挿通し、２つの筒状部材４６−１、４６−２を軸方向に間隔を空けて配置し、一方の部材（例えば、部材１１Ｂ）に固定部材４７により固定し、他方（例えば、部材１１Ａ）が筒状部内をスライドするようにして、これを適宜の位置で固定部材４７により筒状部材４６−１、４６−２に固定するようにするものである。
【００３６】
図６（ｂ）は、支持体１１を筒状部材１１ａと棒状部材１１ｂを直列に配置して構成し、軸方向長さを可変にする例を示した断面概要図である。図６（ｂ）に示すように、支持体１１を筒状部材１１ａとその外径が筒状部材１１ａの内径より小さい小径の棒状部材１１ｂとで構成し、筒状部材１１ａの中に棒状部材１１ｂを挿入してスライド可能とする。筒状部材１１ａの端部の外周にネジ部４９を設けると共に軸方向のスリット部（図示せず）を設けて端部を縮径可能とする一方、端部の外周のネジ部４９に係合するネジを設けた係止環４８を設け、係止環を締めることによって小径の棒状部材を係止するようにしたものである。
【００３７】
このように、支持体をその軸方向長さを変更可能に構成することにより、炉天井などの高さが大きく変化しても、回転切断装置の高さを変更することができるので補修作業を広範囲に、かつ効率的に行なうことができる。
【００３８】
また、支持体は、平行リンク機構に対して水平方向に回動可能に連結されていることが好ましい。例えば、図７（ａ）は、平行リンク機構２０と作業者側の支持部材２７との連結状況の一例を示す部分概要図であるが、図７（ａ）に示すように、連結部材２６ｂの先端側に円筒状部２６ｄを形成し、連結部材２６ｂの基端側を平行リンク機構２０の垂直部材２３ｂに固定し、円筒状部２６ｄに支持部材２７を遊嵌する構成とする。そしてこの支持部材２７を上述のようにハーネス１９の固定部３０に固定する。なお、支持部材２７には、筒状部２６ｄの上下方向の移動を制限する制限部材２９が上下に取り付けられている。
【００３９】
これにより、支持部材２７は、平行リンク機構２０に対して水平方向に回動できるようになる。従って、平行リンク機構２０の他方の垂直部材２３ａに連結部材２６ａを介して取り付けられた本体支持体２１を、支持部材２７を中心として水平方向に旋回させることができる。図７（ａ）の例では、ハーネス側の支持部材２７を平行リンク機構２０に対して回動可能に連結したが、支持体側の本体支持部材２１を平行リンク機構２０に対して回動可能に連結するようにすることもできる。例えば、図７（ｂ）は、平行リンク機構と支持体側の本体支持部材との連結状況の一例を示す部分概要図であるが、図７（ｂ）に示すように、連結部材２６ａの先端側に円筒状部２６ｃを形成し、その基端側を平行リンク機構２０の垂直部材２３ａに固定し、先端側の筒状部２６ｃに本体支持部材２１を遊嵌する。なお、本体支持部材２１には、筒状部２６ｃの上下方向の移動を制限する制限部材２９が上下に取り付けられている。図７（ａ）および／または図７（ｂ）に示した構成により、支持体側および／または作業者側においても支持体を平行リンク機構２０に対して水平方向に回動可能とすることができる。これにより、回転切断装置を含む支持体を作業者を中心として、左右に旋回させることが可能となり、回転切断装置を含む支持体と作業者との相対的な位置関係を左右に変更することが出来るので、補修の作業範囲を大きく広げることができる。
【００４０】
また、支持体１１は、平行リンク機構２０に対して水平方向を軸として回動可能に連結されていることが好ましい。図８は、支持体１１と平行リンク機構２０とを連結する構成の一例を示す部分概略図であり、（ａ）は断面図、（ｂ）は（ａ）のＸ−Ｘ視概略図である。図８において、本体支持部材２１の支持体１１との連結部の近傍は、本体支持体側部２１ａと本体支持体先端側部材２１ｂとから構成され、両者の間には回動用連結部材５０が設けられている。
【００４１】
この回動用連結部材５０は、先端側の回動部５０ａと基端側の基端部５０ｂを有しており、本体支持体側部２１ａには、回動部５０ａが回動するための空隙２１ｃが設けられ、回動用連結部材５０の先端の回動部５０ａが挿入される。
【００４２】
一方、回動用連結部材の基端部５０ｂは、本体支持部材先端部材２１ｂに固定されている。支持体１１は、その中間部２２において、本体支持部材先端部材２１ｂに固定されている。これによって支持体１１は、本体支持部材２１及び平行リンク機構２０に対して水平方向を軸として回動可能となる。
【００４３】
これによって、加熱炉ライニングの切断除去位置が例えば炉天井から炉壁の方に変化しても、支持体１１を回動させるだけで回転切断装置の回転刃を炉壁に対向させることができ、作業者が姿勢を大きく変える必要がなく、作業効率を向上させることができる。
【００４４】
また、平行リンク機構２０には、重力による支持体１１の降下を補償するためのバネ機構を設けることが好ましい。図４に示したように、平行リンク機構２０の垂直部材２３ａ、２３ｂ間に、ばね機構５１を設け、このばね機構の引っ張り力により、垂直部材２３ａ，２３ｂの重力による降下、ひいては支持体１１の降下を補償することができ、作業者が回転切断装置１６を含む支持体１１を所定の高さに支持し、維持することが容易となり、作業負荷を軽減することができる。
【００４５】
ばね機構５１は、垂直部材２３ｂの上端と垂直部材２３ａの下端近傍の間に及び／又は、垂直部材２３ａの上端と垂直部材２３ｂの下端近傍との間に設けても良い。また、垂直部材２３ａ、２３ｂのいずれか一方を上方に延長しその延長部の上端と他方の垂直部材の上端との間に設けても良い。ばね機構としては、金属製のばね、ゴム、或いは緩衝シリンダーなどの弾性部材を上記のように平行リンク機構２０の垂直部材２３ａ、２３ｂ間に設けることにより構成することができる。
【００４６】
また、回転切断装置には、図２に示したように、切断除去したライニング材を集塵するための集塵装置を設けることが好ましい。この集塵装置は、回転切断装置に取り付けられた集塵フード５２と、集塵ホース５３と、集塵機（図示せず）とから構成される。なお、集塵機は切断除去作業を行なう加熱炉内の適切な場所に設置しても良いし、加熱炉外に設置して集塵ホースにより炉外に吸引するようにしても良い。
【００４７】
これによって、切断除去したライニングが炉内に飛散、浮遊するのを低減することができ作業環境を改善できる。
【００４８】
【発明の効果】
本発明の加熱炉ライニングの補修方法により、充填、吹き付けなどの補修を施す前に加熱炉ライニングの劣化箇所が切断除去されるので、断熱性、耐久性に優れた補修箇所が得られる。また、本発明の加熱炉ライニングの切断除去装置によれば、作業者の負荷を大きく軽減することができるため、加熱炉ライニングの切断除去作業を長時間継続することが可能となり、作業精度の向上、作業効率の向上など顕著な効果を得ることができる。
【図面の簡単な説明】
【図１】無機質繊維ブロックからなる加熱炉ライニングの補修状況を示す断面模式図であり、（ａ）は補修前、（ｂ）は劣化箇所を含む周辺の補修箇所の切断除去後、（ｃ）は補修後の状況をそれぞれ示す。
【図２】本発明の加熱炉ライニングの切断除去装置の一実施例の模式図である。
【図３】本発明の加熱炉ライニングの切断除去装置のハーネスの概略を示す斜視図である。
【図４】図１における本発明の加熱炉ライニングの切断除去装置の平行リンク機構を説明する部分概要図である。
【図５】本発明の加熱炉ライニングの切断除去装置の回転切断装置の回転刃の形状を示す概要図であり、（ａ）は鋸状切断刃を、（ｂ）は、作業面に突出する切断刃、（ｃ）は、鋸状切断刃と作業面に突出する切断刃とを有する回転刃を示す。
【図６】本発明の加熱炉ライニングの切断除去装置の支持体の軸方向に伸縮可能にする構成例を示す部分概略図であり、（ａ）は、２本の棒状部材を平行に配置して支持体を構成した例の概略図、（ｂ）は、筒状部材と棒状部材を直列に配置して支持体を構成した例を示す断面概要図である。
【図７】本発明の加熱炉ライニングの切断除去装置の支持体を平行リンク機構に対して水平方向に回動可能にする構成例を示す部分概略図であり、（ａ）は、支持体部材における場合、（ｂ）は支持体本体における場合をそれぞれ示す。
【図８】本発明の加熱炉ライニングの切断除去装置の支持体を平行リンク機構に対して垂直方向に回動自在とする構成例を示す部分概略図であり、（ａ）は、断面図、（ｂ）は、（ａ）のＸ−Ｘ視概要図である。
【符号の説明】
１…加熱炉の炉壁
２…炉殻
３…バックライニング
４…無機質繊維ブロック
５…固定用部材
６…劣化箇所
７…切断除去箇所
８…無機質繊維を含む吹き付け材
９…ライニング
１０…ライニングの切断除去装置
１１…支持体
１１Ａ、１１Ｂ…棒状部材
１１ａ…筒状部材
１１ｂ…棒状部材
１２…回転刃の回転駆動手段（モーター）
１３…取り付け部材
１４…カバー
１５…回転刃
１６…回転切断装置
１７…カウンターウエイト
１８−１、１８−２…操作ハンドル
１９…ハーネス
２０…平行リンク機構
２１…本体支持部材
２１ａ…本体支持体側部
２１ｂ…本体支持体先端側部材
２１ｃ…本体支持体側部の空隙
２２…支持部
２３ａ、２３ｂ…平行リンク機構の垂直部材
２４ａ、２４ｂ…平行リンク機構の水平部材
２５…水平軸部材
２６ａ、２６ｂ…連結部材
２７…支持部材
２８…シールド
２９…ねじ
３０…固定部
３１…腰ベルト
３２…吊ベルト
３２ａ…吊ベルトの下端
３２ｂ…吊ベルトの上端
３３…係止片
３３ａ…係止片の下部
３３ｂ…係止片の上部
３３ｃ、３３ｄ…係止片の側部
３４ａ、３４ｂ…肩ベルト
３５ａ、３５ｂ…係止具
３６ａ、３６ｂ…係止具
３７…保持部
３８…調整金具
４０…バッテリー
４１…ケーブル
４２…円盤
４３…鋸状切断刃
４４…突出する切断刃
４５ａ、４５ｂ…筒状部
４６−１，４６−２…筒状部材
４７…固定部材
４８…係止環
４９…ネジ部
５０…回動用連結部材（水平方向の軸）
５０ａ…回動用部材の回動部
５０ｂ…回動用部材の軸方向端部
５１…集塵フード
５２…集塵ホース
Ｍ…作業者
【図１】
2005061650.tif 000003
【図２】
2005061650.tif 000004
【図３】
2005061650.tif 000005
【図４】
2005061650.tif 000006
【図５】
2005061650.tif 000007
【図６】
2005061650.tif 000008
【図７】
2005061650.tif 000009
【図８】
2005061650.tif 000010